(57)【要約】【課題】  複数の顧客がそれぞれグループを形成し、グループ毎に異なる聴取エリアに集合している場合に、聴取エリア毎に伴奏音及び歌唱音声を聴取するか否かを個別に設定する。【解決手段】  伴奏音用スピーカ１１と、伴奏減衰音を生成する伴奏減衰音生成手段１４と、各聴取エリアにそれぞれ設置されて当該聴取エリアのみに伴奏減衰音を到達させる伴奏減衰音用スピーカ１２と、各聴取エリアにそれぞれ設置されて当該聴取エリアのみに歌唱音声を到達させる歌唱音声聴取用スピーカ１３と、聴取エリア毎に、伴奏減衰音用スピーカ１２及び歌唱音声聴取用スピーカ１３から出音させるか否かを設定する聴取パターン設定手段１５と、設定された聴取パターンに応じて、伴奏減衰音用スピーカ１２及び歌唱音声聴取用スピーカ１３からの出音を個別に制御する聴取パターン制御手段１６と、を備える。【選択図】  図１
2008216401.tif 000002
【特許請求の範囲】
【請求項１】
同一空間内に存在する複数の聴取エリアにおいて伴奏音と歌唱音声とをそれぞれ選択的に聴取可能としたカラオケシステムであって、
伴奏音用スピーカと、伴奏減衰音生成手段と、伴奏減衰音用スピーカと、歌唱音声聴取用スピーカと、聴取パターン設定手段と、聴取パターン制御手段とを備え、
前記伴奏音用スピーカは、前記複数の聴取エリアのすべてに伴奏音を到達させ、
前記伴奏減衰音生成手段は、前記伴奏音と逆位相の伴奏減衰音を生成し、
前記伴奏減衰音用スピーカは、前記各聴取エリアにそれぞれ設置されて当該聴取エリアのみに前記伴奏減衰音を到達させ、
前記歌唱音声聴取用スピーカは、前記各聴取エリアにそれぞれ設置されて当該聴取エリアのみに歌唱音声を到達させ、
前記聴取パターン設定手段は、前記複数の聴取エリア毎に、前記伴奏減衰音用スピーカから伴奏減衰音を出音させるか否か、及び前記歌唱音声聴取用スピーカから歌唱音声を出音させるか否かを個別に設定し、
前記聴取パターン制御手段は、前記設定された聴取パターンに応じて、前記伴奏減衰音用スピーカ及び前記歌唱音声聴取用スピーカからの出音を個別に制御する、
ことを特徴とするカラオケシステム。
【発明の詳細な説明】
【技術分野】
【０００１】
本発明は、複数の顧客がそれぞれグループを形成し、グループ毎に異なる聴取エリアに集合している場合に、聴取エリア毎に伴奏音及び歌唱音声を聴取するか否かを個別に設定することが可能なカラオケシステムに関するものである。
【背景技術】
【０００２】
近年、カラオケボックスやスナック店舗等でカラオケ装置が広く利用されている。カラオケボックスは、１室が単独の聴取エリアとなっており、単一のグループが占有してカラオケ伴奏に合わせた歌唱を楽しむことができる。一方、スナック店舗等では、複数の顧客がテーブル毎にそれぞれグループを形成して、グループ毎にカラオケ伴奏に合わせた歌唱を楽しむことが多い。この場合、テーブル毎に異なる聴取エリアが形成されているにもかかわらず、各聴取エリアでは自らのグループの構成者の歌唱音声だけではなく他のグループの構成者の歌唱音声も聞こえてしまう。
【０００３】
このような状況において、現在演奏されている楽曲の伴奏音や、この楽曲に合わせて歌唱している歌唱音声を選択的に聴取したい場合がある。
例えば、自らのグループの構成者が歌唱を行っている際には当該歌唱音声を聞きたいが、他のグループの構成者が歌唱を行っている際には、当該歌唱音声を聞かずに、自らのグループ内で談笑を行う場合がある。この場合には、談笑を行っているグループにとって、他のグループの構成者の歌唱音声が邪魔になってしまう。
【０００４】
また、他のグループの構成者が歌唱を行っている場合であっても、当該歌唱音声及び伴奏音を聞きたい場合や、当該歌唱音声は聞きたくないが伴奏音だけは聞きたい場合等、様々な要求がある。
【０００５】
そこで、ビーム制御可能な指向性スピーカを用いて、複数のテーブル毎に音声を区別して聴取可能なカラオケ装置が開示されている（特許文献１参照）。この特許文献１に記載された技術は、指向性スピーカから出音される音声をビーム制御して、歌唱者の音声は、歌唱者及びそのグループのテーブルのみで聞き取れるようにし、それ以外のテーブルでは伴奏音と共にガイドボーカルを聞くことができるようにしたものである。
【０００６】
【特許文献１】特開２００５−１７３１３７号公報
【発明の開示】
【発明が解決しようとする課題】
【０００７】
しかし、上述した特許文献１に記載された技術は、特定のグループのテーブルのみに歌唱音声を聞かせることはできるが、他のグループのテーブルでは伴奏音とガイドボーカルが聞こえてしまう。
【０００８】
また、一般的なオーディオスピーカを用いて伴奏音を出音した場合には、良質で迫力のある伴奏音となるが、指向性スピーカから伴奏音を出音した場合には、一般的なオーディオスピーカと比較して音質が劣り迫力がない伴奏音となってしまう。
【０００９】
上述したように、複数のグループが混在してカラオケを楽しんでいる状況下で、他のグループの構成者が歌唱を行っている際には、自らのグループ内で談笑を行うことがあり、この場合には、伴奏音とガイドボーカルが邪魔になることもあった。また、他のグループであっても当該歌唱音声を聞きたい場合があり、さらに当該歌唱音声は聴きたくないが伴奏音に合わせて自ら歌唱したい場合もある。
【００１０】
本発明は、上述した事情に鑑み提案されたもので、複数の顧客がそれぞれグループを形成し、グループ毎に異なる聴取エリアに集合している場合に、聴取エリア毎に伴奏音及び歌唱音声を聴取するか否かを個別に設定することが可能なカラオケシステムを提供することを目的とする。
【課題を解決するための手段】
【００１１】
本発明のカラオケシステムは、上述した目的を達成するため、以下の特徴点を備えている。
本発明のカラオケシステムは、同一空間内に存在する複数の聴取エリアにおいて伴奏音と歌唱音声とをそれぞれ選択的に聴取可能としたカラオケシステムである。このカラオケシステムは、伴奏音用スピーカと、伴奏減衰音生成手段と、伴奏減衰音用スピーカと、歌唱音声聴取用スピーカと、聴取パターン設定手段と、聴取パターン制御手段とを備えている。そして、伴奏音用スピーカは、複数の聴取エリアのすべてに伴奏音を到達させ、伴奏減衰音生成手段は、伴奏音と逆位相の伴奏減衰音を生成し、伴奏減衰音用スピーカは、各聴取エリアにそれぞれ設置されて当該聴取エリアのみに伴奏減衰音を到達させ、歌唱音声聴取用スピーカは、各聴取エリアにそれぞれ設置されて聴取エリアのみに歌唱音声を到達させ、聴取パターン設定手段は、複数の聴取エリア毎に、伴奏減衰音用スピーカから伴奏減衰音を出音させるか否か、及び歌唱音声聴取用スピーカから歌唱音声を出音させるか否かを個別に設定し、聴取パターン制御手段は、設定された聴取パターンに応じて、伴奏減衰音用スピーカ及び歌唱音声聴取用スピーカからの出音を個別に制御する、ことを特徴とするものである。
【００１２】
このような構成からなるカラオケシステムでは、伴奏減衰音生成手段により、伴奏音用スピーカから出音される伴奏音とは逆位相となった伴奏減衰音を生成する。そして、伴奏音及び歌唱音声の双方の聴取が可能となるように設定された聴取エリアでは、伴奏音用スピーカから出音される伴奏音と、歌唱音声聴取用スピーカから出音される歌唱音声とを聴取することができる。
【００１３】
また、伴奏音及び歌唱音声の双方を聴取しないように設定された聴取エリアでは、伴奏音用スピーカから出音される伴奏音が、伴奏減衰音用スピーカから出音される伴奏音と逆位相の伴奏減衰音により消音されると共に、歌唱音声聴取用スピーカから歌唱音声が出音されない。
【００１４】
また、伴奏音のみの聴取が可能となるように設定された聴取エリアでは、伴奏音用スピーカから出音される伴奏音を聴取することができると共に、歌唱音声聴取用スピーカから歌唱音声が出音されない。
【００１５】
また、歌唱音声のみの聴取が可能となるように設定された聴取エリアでは、伴奏音用スピーカから出音される伴奏音が、伴奏減衰音用スピーカから出音される伴奏音と逆位相の伴奏減衰音により消音されると共に、歌唱音声聴取用スピーカから出音される歌唱音声を聴取することができる。
【００１６】
なお、本発明のカラオケシステムにおいて、伴奏音用スピーカ、伴奏減衰音用スピーカ、及び歌唱音声聴取用スピーカの数は特に限定されない。
【発明の効果】
【００１７】
本発明のカラオケシステムによれば、複数の顧客がそれぞれグループを形成し、グループ毎に異なる聴取エリアに集合している場合に、聴取エリア毎に伴奏音及び歌唱音声を聴取するか否かを個別に設定することができる。したがって、各聴取エリアに集合したグループの嗜好に応じて、最適なパターンでカラオケを楽しむことが可能となる。
【００１８】
例えば、歌唱者が属するグループが集合した聴取エリアでは、伴奏音と歌唱音声の双方を聴取できる設定とすることにより、自らのグループの構成者の歌唱を楽しむことができる。また、歌唱者が属していないグループが集合した聴取エリアでは、伴奏音を減衰すると共に、歌唱音声を出音しない設定とすることにより、他のグループの存在に邪魔されない静かな環境となり、自らのグループ内における談笑等を楽しむことができる。
【００１９】
さらに、歌の上手な歌唱者が歌唱を行っている際には、他のグループであっても当該歌唱音声を聞いたり、歌があまり上手でない歌唱者が歌唱を行っている際には、当該歌唱音声は聞かずに伴奏音のみを聞いたりすることができる。
【発明を実施するための最良の形態】
【００２０】
以下、図面を参照して、本発明に係るカラオケシステムの実施形態を説明する。本発明の実施形態に係るカラオケシステムは、同一空間内に存在する複数の聴取エリアにおいて伴奏音と歌唱音声とをそれぞれ選択的に聴取するか否かを設定可能としたものである。具体的には、スナック店舗等において、複数の顧客がテーブル毎にそれぞれグループを形成し、テーブル毎に異なる聴取エリアが形成されている場合に、各聴取エリアにおいて、歌唱音声及び伴奏音の双方を聴取するパターン、歌唱音声及び聴取音のどちらも聴取しないパターン、歌唱音声のみを聴取するパターン、伴奏音のみを聴取するパターンの４パターンの設定を行うことができる。
【００２１】
図１〜図５は、本発明の実施形態に係るカラオケシステムに関するもので、図１はカラオケシステムの全体構成を示す機能ブロック図、図２はカラオケシステムの主要構成を示す機能ブロック図、図３はカラオケシステムの使用状態を説明する模式図である。また、図４は聴取パターンを設定する際におけるリモコン装置の表示例を示す模式図、図５は聴取パターン管理テーブルの説明図である。
【００２２】
まず、本発明の実施形態に係るカラオケシステムにおいて主要な機能を発揮する構成要素について説明する。本発明の実施形態に係るカラオケシステムは、主要な機能を発揮する構成要素として、図１に示すように、伴奏音用スピーカ１１、伴奏減衰音用スピーカ１２、歌唱音声聴取用スピーカ１３、伴奏減衰音生成手段１４、聴取パターン設定手段１５、及び聴取パターン制御手段１６を備えている。
【００２３】
このカラオケシステムは、図２に示すように、聴取パターン設定手段１５で設定された聴取パターンに基づいて、聴取パターン制御手段１６が各聴取エリアＡ、Ｂ、Ｃ、Ｄにそれぞれ設置された伴奏減衰音用スピーカ１２と歌唱音声聴取用スピーカ１３とを個別に制御して、歌唱音声と伴奏減衰音とを出音させるようになっている。
聴取パターンは、図２に示すように、伴奏音及び歌唱音声の双方を聴取するパターン（聴取エリアＡに対応）、伴奏音及び歌唱音声のどちらも聴取しないパターン（聴取エリアＢに対応）、伴奏音のみを聴取するパターン（聴取エリアＣに対応）、歌唱音声のみを聴取するパターン（聴取エリアＤに対応）に区別することができる。
【００２４】
伴奏音用スピーカ１１は、広範囲に可聴音を到達させることができるスピーカであり、例えば、ツイータ、スコーカ、ウーハ等からなる一般的な音声聴取用のスピーカのことである。すなわち、伴奏音用スピーカ１１とは、指向性を有する伴奏減衰音用スピーカ１２や歌唱音声聴取用スピーカ１３と比較して、可聴音が到達する範囲が広くなっているスピーカのことをいう。この伴奏音用スピーカ１１からは、楽曲の伴奏音を出音するようになっている。
【００２５】
伴奏減衰音用スピーカ１２は、各聴取エリアＡ、Ｂ、Ｃ、Ｄにそれぞれ設置されており、伴奏減衰音用スピーカ１２がオンとなっている聴取エリア（聴取エリアＢ、Ｄ）のみに伴奏音と逆位相の伴奏減衰音を到達させることができる指向性スピーカにより構成される。
伴奏減衰音は、伴奏音と逆位相となって伴奏音を減衰させるためのものであり、伴奏減衰音生成手段１４により生成される。
【００２６】
歌唱音声聴取用スピーカ１３は、各聴取エリアＡ、Ｂ、Ｃ、Ｄにそれぞれ設置されており、歌唱音声聴取用スピーカ１３がオンとなっている聴取エリア（聴取エリアＡ、Ｄ）のみに歌唱音声を到達させることができる指向性スピーカにより構成される。
【００２７】
伴奏減衰音用スピーカ１２及び歌唱音声聴取用スピーカ１３の指向角度は、特に限定されるものではなく、カラオケシステムを設置した部屋の収容人員やその他の機器のレイアウト等に応じて適宜変更して設定することができる。また、伴奏減衰音用スピーカ１２及び歌唱音声聴取用スピーカ１３を設置する聴取エリアの数は特に限定されるものではなく、カラオケシステムを設置した部屋の収容人員やその他の機器のレイアウト等に応じて適宜変更して設定することができる。
【００２８】
聴取パターン設定手段１５は、聴取エリアＡ、Ｂ、Ｃ、Ｄ毎に、それぞれ伴奏減衰音用スピーカ１２から伴奏減衰音を出音させるか否か、及び歌唱音声聴取用スピーカ１３から歌唱音声を出音させるか否かを個別に設定するための手段である。
【００２９】
伴奏減衰音用スピーカ１２及び歌唱音声聴取用スピーカ１３の出音設定は、各聴取エリアＡ、Ｂ、Ｃ、Ｄに設置された聴取パターン設定手段１５により行われる。この聴取パターン設定手段１５は、例えばリモコン装置１７の一機能として構成される。具体的には、例えば図４に示すように、リモコン装置１７の一機能として、表示画面に「歌声・伴奏設定画面」を表示させ、タッチセンサを用いて表示画面に表示された各項目の設定を行うことにより、聴取パターンの設定を行うことができる。図４に示す例では、テーブルナンバー「１」である聴取エリアにおいて、伴奏音及び歌唱音声の双方を聴取する設定がなされている。なお、予めリモコン装置１７とテーブルナンバーとが紐付けされている場合には、テーブルナンバーの入力を行わなくてもよい。
【００３０】
聴取パターン設定手段１５により聴取パターンの設定が行われると、当該設定が聴取パターン管理テーブルとしてＲＡＭ等に記憶される。この聴取パターン管理テーブルは、例えば図５に示すように、テーブルナンバーと、歌唱音声のオンオフと、伴奏減衰音のオンオフとを紐付けて管理している。図５に示す例では、テーブルナンバー「１」である聴取エリ（聴取エリアＡに対応）において、伴奏音及び歌唱音声の双方を聴取できるように歌唱音声がオンで伴奏減衰音がオフに設定されており、テーブルナンバー「２」である聴取エリ（聴取エリアＢに対応）において、伴奏音及び歌唱音声のどちらも聴取しないように歌唱音声がオフで伴奏減衰音がオンに設定されており、テーブルナンバー「３」である聴取エリ（聴取エリアＣに対応）において、伴奏音のみを聴取できるように歌唱音声がオフで伴奏減衰音がオフに設定されており、テーブルナンバー「４」である聴取エリ（聴取エリアＤに対応）において、歌唱音声のみを聴取できるように歌唱音声がオンで伴奏減衰音がオンに設定されている。
【００３１】
聴取パターン制御手段１６は、複数の伴奏減衰音用スピーカ１２及び歌唱音声聴取用スピーカ１３の出音制御を行うための手段である。この聴取パターン制御手段１６では、聴取パターン設定手段１５における設定に応じて、各伴奏減衰音用スピーカ１２及び各歌唱音声聴取用スピーカ１３の出音状態を制御して、伴奏減衰音又は歌唱音声を出音させたり、伴奏減衰音又は歌唱音声を出音させなかったりする。
【００３２】
上述した各手段は、コンピュータシステム及びその周辺機器により構成されるもので、コンピュータシステムの構成要素であるＣＰＵ等がアプリケーションプログラムに従って動作することにより、各手段としての機能を発揮することができる。
【００３３】
次に、図３を参照して、本発明の実施形態に係るカラオケシステムの具体的な構成例を説明する。本発明の実施形態に係るカラオケシステムは、図３に示すように、歌唱エリアを含めた全聴取エリアＡ、Ｂ、Ｃ、Ｄに向けて設置された伴奏音用スピーカ１１と、各聴取エリアＡ、Ｂ、Ｃ、Ｄにそれぞれ設置された伴奏減衰音用スピーカ１２及び歌唱音声聴取用スピーカ１３と、表示手段１８と、リモコン装置１７とを備えており、伴奏音用スピーカ１１、歌唱音声聴取用スピーカ１３、伴奏減衰音用スピーカ１２、表示手段１８、及びリモコン装置１７は、装置本体５１に接続されている。
【００３４】
装置本体５１は、カラオケ装置の主要機能を集約したものであり、後に詳述するような機能を発揮するようになっている。
表示手段１８は、例えばＣＲＴディスプレイ、液晶ディスプレイ、液晶プロジェクタにより構成される手段であり、伴奏される楽曲に合わせた背景映像や歌詞画像等が表示画面に表示される。
リモコン装置１７は、選曲を行うと共に、聴取パターン設定手段として機能する装置であり、例えば無線通信により装置本体５１と接続されている。
【００３５】
上述したように、各聴取エリアにおいてリモコン装置１７を操作して、伴奏音及び歌唱音声を聴取するか否かを個別に設定する。そして、楽曲の伴奏が開始されると、伴奏音用スピーカ１１から、全聴取エリアＡ、Ｂ、Ｃ、Ｄに向けて伴奏音が出音される。
【００３６】
ここで、伴奏音及び歌唱音声の双方を聴取するように設定した聴取エリアＡでは、伴奏減衰音用スピーカ１２から伴奏減衰音が出音されないと共に、歌唱音声聴取用スピーカ１３から歌唱音声が出音される。したがって、この聴取エリアＡでは、歌唱音声を聴取することができると共に、伴奏音用スピーカ１１から出音される伴奏音を聴取することができる。
【００３７】
また、伴奏音及び歌唱音声のどちらも聴取しないように設定した聴取エリアＢでは、伴奏減衰音用スピーカ１２から伴奏減衰音が出音されると共に、歌唱音声聴取用スピーカ１３から歌唱音声が出音されない。したがって、この聴取エリアＢでは、伴奏音が減衰されると共に、歌唱音声聴取用スピーカ１３からの歌唱音声を聴取することはできない。
【００３８】
また、伴奏音のみを聴取するように設定した聴取エリＣアでは、伴奏減衰音用スピーカ１２から伴奏減衰音が出音されない共に、歌唱音声聴取用スピーカ１３から歌唱音声が出音されない。したがって、この聴取エリアＣでは、伴奏音を聴取することができると共に、歌唱音声聴取用スピーカ１３からの歌唱音声を聴取することはできない。
【００３９】
また、歌唱音声のみを聴取するように設定した聴取エリアＤでは、伴奏減衰音用スピーカ１２から伴奏減衰音が出音されると共に、歌唱音声聴取用スピーカ１３から歌唱音声が出音される。したがって、この聴取エリアＤでは、伴奏音が減衰されると共に、歌唱音声を聴取することができる。
【００４０】
次に、図１を参照して、本発明の実施形態に係るカラオケシステムを適用するカラオケ装置の代表的な一例について説明する。
本発明のカラオケシステムを適用するカラオケ装置は、図１に示すように、上述した伴奏音用スピーカ１１、伴奏減衰音用スピーカ１２、歌唱音声聴取用スピーカ１３、伴奏減衰音生成手段１４、聴取パターン設定手段１５、聴取パターン制御手段１６の他に、制御手段６２、ＲＯＭ６３、ＲＡＭ６４、記憶手段６５、通信手段６６、映像出力手段６７、操作制御手段６８、送受信手段６９、音楽曲出力手段７０を備えており、各手段はバス６１を介して相互に接続されている。
【００４１】
また、映像出力手段６７には表示手段１８が接続されており、音楽曲出力手段７０にはアンプ７２を介して伴奏音用スピーカ１１、歌唱音声聴取用スピーカ１３、及び伴奏減衰音用スピーカ１２が接続されている。また、アンプ７２には、マイクロホン７３が接続されている。
【００４２】
制御手段６２は、カラオケ装置を総合的に制御するための手段であり、例えばＣＰＵ及びその周辺機器により構成されており、ＣＰＵ等がＲＯＭ６３等に記憶されたアプリケーションプログラムに従って動作することにより、制御機能を発揮することができるようになっている。
【００４３】
ＲＯＭ６３は、カラオケ装置を構成する各機器を制御するためのアプリケーションプログラムデータや数値データを記憶するための機器で、例えば半導体メモリ等で構成される。また、ＲＡＭ６４は、アプリケーションプログラムや種々のデータを一時的に読み込む一時記憶領域として機能するための機器で、例えば半導体メモリ等で構成される。また、本実施形態では、ＲＡＭ６４に聴取パターン管理テーブルが格納されている。
【００４４】
記憶手段６５は、例えばハードディスク記憶装置等からなり、多数のカラオケ楽曲について、ＭＩＤＩ（登録商標）データやＭＰ３データからなる伴奏データと、歌詞画像の生成起源となる歌詞描出データを含むカラオケデータが記憶され、また、背景映像として再生される所定形式の動画データが記憶される。
【００４５】
音楽曲出力手段７０は、ＭＩＤＩ音源やＭＰ３デコーダからなり、記憶手段６５に格納されたカラオケデータの中から選曲された楽曲の伴奏データを再生する。そして、アンプ７２により、再生された伴奏音、マイクロホン７３から入力される歌唱音声、及び伴奏減衰音生成手段１４で生成された伴奏減衰音をそれぞれ増幅して、伴奏音用スピーカ１１、出音状態（オン）に設定された伴奏減衰音用スピーカ１２及び歌唱音声聴取用スピーカ１３から所定の音声を出音する。
【００４６】
映像出力手段６７は、選曲された楽曲に基づき、制御手段６２から順次転送される選択楽曲に対応する動画データを復号し、また、選曲された楽曲の歌詞描出データに基づき、伴奏音楽に同期して歌唱すべき箇所が色変わりする歌詞画像を、復号した動画映像にスーパーインポーズ処理して表示手段１８に表示出力するための手段である。
【００４７】
操作制御手段６８は、リモコン装置１７等からの入力データを制御するための手段である。
送受信手段６９は、リモコン装置１７との間で有線あるいは無線によりデータの授受を行うための手段である。
【００４８】
リモコン装置１７はＧＵＩ機能を有しており、例えば液晶ディスプレイとタッチセンサとを重畳したインタフェイスが搭載されている。カラオケ装置の利用者は、タッチセンサを用いて選曲や楽器の選択、その他のデータ入力を行うことができる。また、本実施形態では、リモコン装置１７の一機能として聴取パターン設定手段１５が構成されている。
【００４９】
通信手段６６は、通信ネットワーク７４上に配置されたセンターサーバ７５との間で所定の通信プロトコルに従って通信を行うための手段である。センターサーバ７５は、複数のカラオケ装置にネットワーク接続されており、各カラオケ装置に送信するための楽曲データを格納することを主たる機能とした装置である。
【００５０】
＜他の実施形態＞
なお、カラオケ装置を構成する機器や手段は上述したものに限定されず、カラオケ装置の設置場所や用途等に応じて、必要な機器や手段のみの構成としたり、適宜他の機器や手段を付加したりすることができる。
また、各手段をそれぞれ別個のものとして構成するのではなく、制御手段６２の機能として構成できる手段であれば、制御手段６２に当該手段の機能を含ませてもよいし、各機能を統合した手段として構成してもよい。
【００５１】
さらに、各聴取エリアにそれぞれ伴奏減衰音用スピーカ１２及び歌唱音声聴取用スピーカ１３を設置するのではなく、カラオケ店内の適宜箇所に伴奏減衰音用スピーカ１２及び歌唱音声聴取用スピーカ１３を設置して、この伴奏減衰音用スピーカ１２及び歌唱音声聴取用スピーカ１３から出音される音声をビーム制御することにより、伴奏音及び歌唱音声の聴取及び減衰を設定してもよい。なお、スピーカから出音される音声のビーム制御は、上述した特許文献１に詳細に記載されている。
【図面の簡単な説明】
【００５２】
【図１】本発明のカラオケシステムの全体構成を示す機能ブロック図。
【図２】本発明の実施形態に係るカラオケシステムの主要構成を示す機能ブロック。
【図３】本発明の実施形態に係るカラオケシステムの使用状態を説明する模式図。
【図４】聴取パターンを設定する際におけるリモコン装置の表示例を示す模式図。
【図５】本発明の実施形態に係るカラオケシステムで用いる聴取パターン管理テーブルの説明図。
【符号の説明】
【００５３】
１１  伴奏音用スピーカ
１２  伴奏減衰音用スピーカ
１３  歌唱音声聴取用スピーカ
１４  伴奏減衰音生成手段
１５  聴取パターン設定手段
１６  聴取パターン制御手段
１７  リモコン装置
１８  表示手段
５１  装置本体
６１  バス
６２  制御手段
６３  ＲＯＭ
６４  ＲＡＭ
６５  記憶手段
６６  通信手段
６７  映像出力手段
６８  操作制御手段
６９  送受信手段
７０  音楽曲出力手段
７２  アンプ
７３  マイクロホン
７４  通信ネットワーク
７５  センターサーバ
【図１】
2008216401.tif 000003
【図２】
2008216401.tif 000004
【図３】
2008216401.tif 000005
【図４】
2008216401.tif 000006
【図５】
2008216401.tif 000007